(57)【要約】【課題】アンテナ面の角度制御により設計自由度を向上させ得る構成を提供する。【解決手段】アンテナ部５０は、第１アンテナ面６１と第２アンテナ面とを含むように形成されるアンテナ面にループアンテナ５１が設けられて構成され、このアンテナ部５０による電波放射方向Ｆが光学読取エリアＳ１に向かうように、第１アンテナ面６１と第２アンテナ面との角度θ１が設定される。【選択図】図４
2018147212.tif 000002
【特許請求の範囲】
【請求項１】
情報コードを光学的に読み取る光学的情報読取装置であって、
光学読取エリアに位置する前記情報コードからの反射光を読取口を介して受光する受光手段と、
電波を利用する非接触通信媒体に対して電波を放射するためのアンテナ部と、
を備え，
前記アンテナ部は、少なくとも第１の面と第２の面とを含むように形成されるアンテナ面にループアンテナが設けられて構成され、
前記アンテナ部による電波放射方向が前記光学読取エリアに向かうように、前記第１の面と前記第２の面との角度が設定されることを特徴とする光学的情報読取装置。
【請求項２】
前記アンテナ部は、前記読取口に対して当該読取口を構成する縁部の外側に配置されることを特徴とする請求項１に記載の光学的情報読取装置。
【請求項３】
前記アンテナ部は、前記第１の面及び前記第２の面のいずれか一方に設けられる前記ループアンテナの部分が前記読取口の周囲の少なくとも一部を囲うように配置されることを特徴とする請求項１に記載の光学的情報読取装置。
【請求項４】
前記アンテナ部は、前記読取口に対して複数設けられることを特徴とする請求項１〜３のいずれか一項に記載の光学的情報読取装置。
【請求項５】
一定時間、前記アンテナ部から電波が常時放射されることを特徴とする請求項１〜４のいずれか一項に記載の光学的情報読取装置。
【請求項６】
前記情報コードからの反射光を受光する際に読取操作される操作手段を備え、
前記操作手段による読取操作時に前記アンテナ部から電波が放射されることを特徴とする請求項１〜４のいずれか一項に記載の光学的情報読取装置。
【請求項７】
前記受光手段による前記情報コードの受光結果に応じて当該情報コードを解読する解読手段と、
前記解読手段による解読結果に応じて前記アンテナ部から放射される電波を制御する電波制御手段と、
を備えることを特徴とする請求項１〜６のいずれか一項に記載の光学的情報読取装置。
【請求項８】
前記受光手段及び前記アンテナ部が組み込まれる筐体と、前記受光手段による受光結果を利用した制御を行う制御手段が組み込まれる筐体とが別体として構成されることを特徴とする請求項１〜７のいずれか一項に記載の光学的情報読取装置。
【請求項９】
電力供給用の電池を備えるように携帯型として構成されることを特徴とする請求項１〜７のいずれか一項に記載の光学的情報読取装置。
【発明の詳細な説明】
【技術分野】
【０００１】
本発明は、光学的情報読取装置に関するものである。
【背景技術】
【０００２】
近年、スーパーマーケットやドラッグストア等の店舗、特に高価で比較的小さな商品を取り扱う店舗では、商品の盗難を防止するため、無線機能を利用した防犯用の電子タグ（以下、単に、電子タグともいう）による商品販売管理を実施する店舗が増加している。この商品販売管理方法では、会計処理時等に、専用機器を用いて商品に付された電子タグの機能を停止させる処理が行われている。
【０００３】
このように商品に付された電子タグの機能を停止させる技術として、下記特許文献１に開示される販売データ処理端末が知られている。この販売データ処理端末は、商品に付されたバーコード等を読み取るスキャナが端末本体と一体に形成されており、このスキャナの周囲とその下方に、商品に付されたＲＦＩＤタグを無効化するためのアンテナがそれぞれ配置されている。そして、スキャナによりバーコード等が読み取られると、アンテナを介してＲＦＩＤタグを無効化するための無線データ通信を行い、商品に付されたＲＦＩＤタグを無効化している。
【先行技術文献】
【特許文献】
【０００４】
【特許文献１】特開２０１１−０８１６１９号公報
【発明の概要】
【発明が解決しようとする課題】
【０００５】
ところで、上述した販売データ処理端末は、大型の商品でもバーコード等を読み取れるように携帯型のハンドスキャナを備えており、このハンドスキャナにもＲＦＩＤタグを無効化するためのアンテナ部が設けられている。このように、携帯型の光学的情報読取装置にも電子タグの機能を停止させることで無効化させるなどの電子タグを制限する機能が望まれている。
【０００６】
しかしながら、上述したハンドスキャナのような構成では、バーコードからの反射光を取り込む読取口に上記アンテナ部が設けられているため、このアンテナ部による電波放射方向と反射光を受光する受光センサの光軸とがずれていると、読取口から離れるほど光学読取エリアと電波出力エリアとのずれが大きくなる。このため、バーコードに読取口を向けても電子タグが読み取りされない場合があり、このような場合には、バーコードに対するハンドスキャナの位置をずらすか電子タグ（バーコード）の位置をずらして再度操作する必要があり、無効化等のための動作（操作）が煩雑になるという問題がある。
【０００７】
特に、読取口は、読取対象の鏡面反射を避けるために読取対象に対して光軸が垂直にならないように設計されている場合が多く、このような場合には、上記問題が顕著になる。すなわち、光軸やアンテナ部の配置等に関して、光の反射や拡散及び電波の放射方向や距離に対する減衰といった物理特性の影響を考慮していないために上記問題が生じる。一方、例えば、光学読取エリアと電波出力エリアとが重なるように単にアンテナ部の向きを傾けるように設計すると、読取口からアンテナ部の一部が飛び出すためにこの飛び出し部分が光学読み取り操作の妨げになり、このような操作の妨げをなくすためにアンテナ部を筐体内に引き込むように設計すると電子タグとの距離が遠くなるため電波が減衰し、電子タグの読み取りが行えない場合がある。このように、情報コード等の光学読み取りに関する光学設計を重視すると、アンテナ配置に関する設計に関して制約が大きくなるという問題がある。
【０００８】
本発明は、上述した課題を解決するためになされたものであり、その目的とするところは、アンテナ面の角度制御により設計自由度を向上させ得る構成を提供することにある。
【課題を解決するための手段】
【０００９】
上記目的を達成するため、特許請求の範囲の請求項１に記載の発明は、
情報コード（Ｃ）を光学的に読み取る光学的情報読取装置（１）であって、
光学読取エリア（Ｓ１）に位置する前記情報コードからの反射光を読取口（１３）を介して受光する受光手段（２８）と、
電波を利用する非接触通信媒体（Ｔ）に対して電波を放射するためのアンテナ部（５０，５０ａ）と、
を備え，
前記アンテナ部は、少なくとも第１の面（６１，７１）と第２の面（６２，７２）とを含むように形成されるアンテナ面にループアンテナ（５１）が設けられて構成され、
前記アンテナ部による電波放射方向（Ｆ）が前記光学読取エリアに向かうように、前記第１の面と前記第２の面との角度（θ１，θ２）が設定されることを特徴とする。
なお、上記各括弧内の符号は、後述する実施形態に記載の具体的手段との対応関係を示すものである。
【発明の効果】
【００１０】
請求項１の発明では、アンテナ部は、少なくとも第１の面と第２の面とを含むように形成されるアンテナ面にループアンテナが設けられて構成され、このアンテナ部による電波放射方向が光学読取エリアに向かうように、第１の面と第２の面との角度が設定される。
【００１１】
このようにアンテナ部による電波放射方向が光学読取エリアに向かうことで、読取口から離れた位置でも光学読取エリアと電波出力エリアとがずれ難くなるので、例えば、情報コードを付した商品等に無効化すべき電子タグが付されている場合には、その情報コードに読取口を向ける動作で、情報コードの読み取りと電子タグの無効化とを円滑に行うことができる。特に、電波放射方向は、第１の面と第２の面との角度に応じて変化させることができるので、アンテナ部の配置に関して、１つの平面にループアンテナを設けて構成されるアンテナ部等と比較して、読取口等の他の構造物の影響を受け難くすることができる。したがって、アンテナ配置に関する設計自由度を低下させることなくアンテナ部による電波放射方向を容易に制御することができる。すなわち、アンテナ面の角度制御により設計自由度を向上させることができる。
【００１２】
請求項２の発明では、アンテナ部は、読取口に対して当該読取口を構成する縁部の外側に配置される。これにより、アンテナ部が受光手段による情報コードの受光を妨げることを確実に防止することができる。
【００１３】
請求項３の発明では、アンテナ部は、第１の面及び第２の面のいずれか一方に設けられるループアンテナの部分が読取口の周囲の少なくとも一部を囲うように配置される。これにより、例えば、第２の面のループアンテナを読取口の周囲に設けるようにアンテナ部を配置する場合でもこの第２の面と第１の面との角度を調整することで、電波放射方向を制御でき、読取口の周囲のスペースを有効に活用することができる。
【００１４】
請求項４の発明では、アンテナ部は、読取口に対して複数設けられるため、意図する方向に電波を放射し易くなり、電波出力エリアを広げることができる。
【００１５】
請求項５の発明では、一定時間、アンテナ部から電波が常時放射されるため、このアンテナ部から電波が常時放射される一定時間で情報コードが読み取られることで、例えば、情報コードの読み取りと電子タグの無効化とを同時に行うことができる。
【００１６】
請求項６の発明では、操作手段による読取操作時にアンテナ部から電波が放射されるため、例えば、情報コードの読み取りと電子タグの無効化とを同期させるように行うことができる。
【００１７】
請求項７の発明では、解読手段による解読結果に応じてアンテナ部から放射される電波が電波制御手段により制御されるため、読み取った情報コードに応じて、電子タグの無効化だけでなく、電子タグへの書き込み等、電波を利用した処理内容を変更することができる。
【００１８】
請求項８の発明のように、受光手段及びアンテナ部が組み込まれる筐体と、受光手段による受光結果を利用した制御を行う制御手段が組み込まれる筐体とが別体として構成されるような光学的情報読取装置にも適用することができる。
【００１９】
請求項９の発明のように、電力供給用の電池を備えるように携帯型として構成されるような光学的情報読取装置にも適用することができる。
【図面の簡単な説明】
【００２０】
【図１】本発明の第１実施形態に係る光学的情報読取装置の構成概要を示す断面図である。
【図２】図１の光学的情報読取装置の電気的構成を概略的に示すブロック図である。
【図３】アンテナ部の概略構成を立体的に説明するための説明図である。
【図４】第１実施形態における光学読取エリアと電波出力エリアと関係を示す説明図である。
【図５】第１実施形態における読取処理とタグ無効化処理との流れをそれぞれ例示するフローチャートである。
【図６】第１実施形態の第１変形例における読取処理及びタグ無効化処理の流れを例示するフローチャートである。
【図７】第１実施形態の第２変形例における読取処理及びタグ無効化処理の流れを例示するフローチャートである。
【図８】第２実施形態に係る光学的情報読取装置の要部を示す説明図である。
【図９】第２実施形態においてアンテナ部の概略構成を立体的に説明するための説明図である。
【発明を実施するための形態】
【００２１】
［第１実施形態］
以下、本発明の第１実施形態に係る光学的情報読取装置システムについて、図面を参照して説明する。
本実施形態に係る光学的情報読取装置１は、一次元コードや二次元コード等の情報コードを光学的に読み取る情報コードリーダとしての機能と、その情報コードが付された物品等に設けられる非接触通信媒体に対して電磁誘導を利用した電波（電磁波）を放射することでその非接触通信媒体を制御する機能とを有するように構成されている。本実施形態では、非接触通信媒体を制御する機能として、情報コードＣとともに商品Ｒに付された電子タグＴの無効化が採用されている。
【００２２】
この光学的情報読取装置１は、図１に示すように、スキャナ２とこのスキャナ２を制御する制御装置３とがケーブル４を介して接続されるように構成されている。スキャナ２は、上ケース及び下ケースが組み付けられて構成される筐体１１によって外郭が形成され、この筐体１１内に各種電気部品等が回路基板２０等に実装されて収容されている。筐体１１を構成する上ケース及び下ケースは、ＡＢＳ樹脂等の合成樹脂からなる成形部材で、筐体１１の一端側の端面１２には読取口１３が形成され、また他端側にはケーブル４を固定するためのケーブル取付部１４が形成されている。この読取口１３が形成される一端側は、裏面側に大きく前傾する首曲がり形状に形成されている。これにより、使用者がスキャナ２を上ケース側から把持した状態で、読取対象物に貼付された情報コードに対して読取口１３を当て易くしている。
【００２３】
次に、光学的情報読取装置１の電気的構成について説明する。
図１及び図２に示すように、光学的情報読取装置１は、主に、照明光源２１、受光センサ２８、結像レンズ２７等の光学系と、メモリ３５、制御回路４０等のマイクロコンピュータ（以下「マイコン」という）系とを備えている。
【００２４】
光学系は、スキャナ２の筐体１１内に収容され、投光光学系と受光光学系とに分かれている。投光光学系を構成する照明光源２１は、光学読取エリアＳ１（図４参照）に向けて照明光Ｌｆを発光可能な照明手段として機能するもので、例えば、赤色のＬＥＤ２１ａとこのＬＥＤ２１ａの出射側に設けられるレンズ２１ｂとから構成されている。照明光源２１は、図１に示す照明光軸Ｌ１からわかるように、鏡面反射を抑制するため、受光センサ２８による結像光軸Ｌ２に対して僅かに傾斜して照明光Ｌｆを照射するように配置されている。
【００２５】
受光光学系は、受光センサ２８及び結像レンズ２７等によって構成されている。受光センサ２８は、例えば、Ｃ−ＭＯＳやＣＣＤ等の固体撮像素子である受光素子を二次元に配列したエリアセンサとして構成されている。この受光センサ２８は、光学読取エリアＳ１から読取口１３、保護プレート２６及び結像レンズ２７を介して入射する入射光を受光可能に回路基板２０に実装されている。なお、受光センサ２８は、「受光手段」の一例に相当し得る。
【００２６】
結像レンズ２７は、外部から読取口１３を介して入射する入射光を集光して受光センサ２８の受光面に像を結像可能な結像光学系として機能するものである。本実施形態では、照明光源２１から照射された照明光Ｌｆが情報コード等にて反射した後、この反射光Ｌｒを結像レンズ２７で集光し、受光センサ２８の受光面にコード像等を結像させている。
【００２７】
マイコン系は、増幅回路３１、Ａ／Ｄ変換回路３３、メモリ３５、アドレス発生回路３６、同期信号発生回路３８、制御回路４０等からなり、制御装置３の筐体内に収容されるように構成されている。このマイコン系は、その名の通り、マイコン（情報処理装置）として機能し得る制御回路４０及びメモリ３５を中心に構成されるもので、上述した光学系によって撮像された情報コードの画像信号をハードウェア的及びソフトウェア的に信号処理し得るものである。なお、マイコン系の少なくとも一部は、回路基板２０等に実装されてスキャナ２の筐体１１内に収容されてもよい。
【００２８】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、画像データ蓄積領域に蓄積される。なお、同期信号発生回路３８は、受光センサ２８及びアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２９】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述した画像データ蓄積領域のほかに、制御回路４０が算術演算や論理演算等の各処理時に利用する作業領域や読取条件テーブルも確保可能に構成されている。また、ＲＯＭには、照明光源２１、受光センサ２８等の各ハードウェアを制御可能なシステムプログラム等が予め格納されている。
【００３０】
制御回路４０は、光学的情報読取装置１全体を制御可能なマイコンで、ＣＰＵ、システムバス、入出力インタフェース等からなるもので、メモリ３５とともに情報処理装置を構成し得るもので情報処理機能を有する。この制御回路４０は、後述する読取処理を行うことで、受光センサ２８の受光結果に応じて撮像された情報コードＣの画像に基づいてその情報コードＣのデコード（解読）を行う解読手段及び受光センサ２８の受光結果を利用した制御を行う制御手段として機能する。
【００３１】
また、制御回路４０は、内蔵された入出力インタフェースを介して種々の入出力装置（周辺装置）と接続可能に構成されており、本実施形態の場合、スキャナ２に設けられるブザー４４や発光部４６が回路基板２０のコネクタ等を介して接続され、制御装置３に設けられる操作部４７や通信インタフェース４８等も接続されている。これにより、例えば、ビープ音やアラーム音を発生可能なブザー４４の鳴動のオンオフ、発光部４６の点灯や点滅、操作部４７の監視や管理、外部装置との通信を可能にする通信インタフェース４８の通信制御等が、制御回路４０によって行われることとなる。
【００３２】
次に、アンテナ部５０について説明する。
端面１２を平面視したときに読取口１３を構成する縁部の一部である一縁部１３ａよりも外側（図１にて右側）となる位置には、上述した電子タグＴ等の非接触通信媒体の制御を実現するためのアンテナ部５０が設けられている。このアンテナ部５０を筐体１１内に配置するため、端面１２は、読取口１３を構成する縁部のうち一縁部１３ａ側が広くなるように形成されている。なお、一縁部１３ａを除く読取口１３を構成する縁部は、筐体１１の厚さとほぼ等しくなるように形成されている。
【００３３】
アンテナ部５０は、ＦＰＣ（フレキシブルプリント配線板）等を利用することで、図１、図３及び図４から分かるように、２つの面を有するように形成されるアンテナ面にループアンテナ５１が設けられて構成されている。具体的には、アンテナ面は、第１アンテナ面６１と第２アンテナ面６２とが所定の角度θ１で連なるように折り曲げて形成され、アンテナ部５０は、第２アンテナ面６２が端面１２と略平行となるように配置されている。なお、アンテナ部５０は、ループアンテナ５１の内側が開口するように形成されてもよい。
【００３４】
また、ループアンテナ５１は、第１アンテナ面６１と第２アンテナ面６２とが連なる縁を除く第１アンテナ面６１の外縁と第２アンテナ面６２の外縁とに沿うように配置されている。本実施形態では、第１アンテナ面６１及び第２アンテナ面６２は、「第１の面」及び「第２の面」の一例に相当し、それぞれ矩形状の平面となるように形成されているが、これに限らず、少なくとも一部が曲面となるように形成されてもよい。
【００３５】
ループアンテナ５１は、第１アンテナ面６１の上部に設けられる両端部が配線５２等を介して制御装置３の制御回路４０に接続されている。そして、制御回路４０により制御されてアンテナ部５０から電波が放射されることで、電子タグＴの無効化が可能な状態になる。
【００３６】
ここで、アンテナ部５０の詳細構成について、図面を参照して詳述する。
本実施形態では、図１に示すように、読取対象となる情報コードＣが付された商品Ｒに対して、その情報コードＣの近傍に付された盗難防止用の電子タグＴが、アンテナ部５０を利用した無効化対象となる。このため、第１アンテナ面６１と第２アンテナ面６２との角度θ１は、図４に示すように、アンテナ部５０による電波放射方向Ｆが光学読取エリアＳ１に向かうように設定されている。すなわち、第１アンテナ面６１と第２アンテナ面６２との角度θ１に応じてアンテナ部５０による電波放射方向Ｆを変化させることができる。また、第１アンテナ面６１の面積や第２アンテナ面６２の面積によってもアンテナ部５０による電波放射方向Ｆを変化させることができる。なお、図４では、便宜上、光学読取エリアのうちでも撮像に適した距離に相当する光軸部分に矢印Ｓ１を付すことで光学読取エリアを示している。
【００３７】
これにより、光学読み取りに関して最適化された光学読取エリアＳ１に向けてアンテナ部５０による電波放射方向Ｆを角度θ１等に応じて調整できる。このような角度θ１等に応じた電波放射方向Ｆの調整がなされることで、読取口１３を情報コードＣに翳した場合に、電子タグの無効化が可能な電波出力エリアＳ２に電子タグＴが確実に入ることとなり、電波出力エリアＳ２と光学読取エリアＳ１とが両立するエリア（図４の符号Ｓ３にて示すクロスハッチング参照）を広くしている。
【００３８】
次に、光学的情報読取装置１による情報コードＣの読み取りと電子タグＴの無効化の処理について、図５のフローチャートを参照して説明する。
本実施形態では、操作部４７の操作に応じて制御回路４０による読取処理が開始されると、照明光源２１により照明光Ｌｆが読取口１３を介して照射され、読取口１３を向けた情報コードＣが受光センサ２８を用いて撮像されて光学的に読み取り可能な状態になる（図５のＳ１０１）。また、この読取処理が実行される一定時間、制御回路４０により制御されて、アンテナ部５０から電波が常時放射されることで、電波出力エリアＳ２内の電子タグＴの無効化が可能な状態になる（Ｓ２０１）。
【００３９】
そして、光学読取エリアＳ１に位置する情報コードＣの読み取りが成功すると（Ｓ１０３でＹｅｓ）、報知処理がなされ（Ｓ１０５）、ブザー４４の鳴動や発光部４６の点灯等により、情報コードＣの読み取りが成功したことが報知される。一方、電波出力エリアＳ２内の電子タグＴの無効化が成功すると（Ｓ２０３でＹｅｓ）、報知処理がなされ（Ｓ２０５）、上記ステップＳ１０５の報知処理とは異なるようにブザー４４の鳴動や発光部４６の点灯等がなされて、電子タグＴの無効化が成功したことが報知される。
【００４０】
ここで、電子タグＴの無効化の成否については、例えば、その電子タグＴの無効化するための共振周波数周辺で変化させるように電波を照射し、共振周波数近傍での電子タグＴからの応答が無効化前後で変化することを利用して行ってもよい。
【００４１】
以上説明したように、本実施形態に係る光学的情報読取装置１では、アンテナ部５０は、第１アンテナ面６１と第２アンテナ面６２とを含むように形成されるアンテナ面にループアンテナ５１が設けられて構成され、このアンテナ部５０による電波放射方向Ｆが光学読取エリアＳ１に向かうように、第１アンテナ面６１と第２アンテナ面６２との角度θ１が設定される。
【００４２】
このようにアンテナ部５０による電波放射方向Ｆが光学読取エリアＳ１に向かうことで、読取口１３から離れた位置でも光学読取エリアＳ１と電波出力エリアＳ２とがずれ難くなるので、情報コードＣを付した商品Ｒに無効化すべき電子タグＴが付されている場合には、その情報コードＣに読取口１３を向ける動作で、情報コードＣの読み取りと電子タグＴの無効化とを円滑に行うことができる。特に、電波放射方向Ｆは、第１アンテナ面６１と第２アンテナ面６２との角度θ１に応じて変化させることができるので、アンテナ部５０の配置に関して、１つの平面にループアンテナを設けて構成されるアンテナ部等と比較して、読取口１３等の他の構造物の影響を受け難くすることができる。したがって、アンテナ配置に関する設計自由度を低下させることなくアンテナ部５０による電波放射方向Ｆを容易に制御することができる。すなわち、第１アンテナ面６１及び第２アンテナ面６２の角度制御により設計自由度を向上させることができる。
【００４３】
特に、アンテナ部５０は、読取口１３に対して当該読取口１３を構成する一縁部１３ａの外側に配置される。これにより、アンテナ部５０が受光センサ２８による情報コードＣの受光を妨げることを確実に防止することができる。
【００４４】
また、上記読取処理が実行される一定時間、アンテナ部５０から電波が常時放射されるため、このアンテナ部５０から電波が常時放射される一定時間で情報コードＣが読み取られることで、情報コードＣの読み取りと電子タグＴの無効化とを同時に行うことができる。なお、上記一定時間は、上記読取処理が実行される間に限らず、例えば、操作部４７に対して無効化を開始するための操作がなされてから無効化を終了するための操作がなされるまでの間であってもよい。
【００４５】
なお、上記読取処理を開始する際に操作されるトリガスイッチ等が操作部４７の一部としてスキャナ２に設けられる構成では、このトリガスイッチ等による読取操作時にアンテナ部５０から電波を放射するようにしてもよい。これにより、情報コードＣの読み取りと電子タグＴの無効化とを同期させるように行うことができる。なお、トリガスイッチ等の操作部４７は、「操作手段」の一例に相当し得る。
【００４６】
また、上記読取処理による読取結果（解読結果）に応じてアンテナ部５０から放射される電波が制御回路４０により制御されてもよい。具体的には、例えば、図６に例示するフローチャートのように、情報コードＣを光学的に読み取り可能な状態となり（Ｓ３０１）、情報コードＣの読み取りが成功すると（Ｓ３０３でＹｅｓ）、アンテナ部５０から電波が放射されて電波出力エリアＳ２内の電子タグＴの無効化が可能な状態になった後（Ｓ３０５）、情報コードＣの読み取りが成功したことを報知してもよい（Ｓ３０７）。なお、この報知処理では、電子タグＴの無効化の成否についても報知することができる。
【００４７】
また、例えば、読み取った情報コードＣに応じて、電子タグＴの無効化だけでなく、電子タグへの書き込み等、電波を利用した処理内容を変更してもよい。例えば、図７に例示するフローチャートのように、情報コードＣを光学的に読み取り可能な状態となり（Ｓ４０１）、情報コードＣの読み取りが成功すると（Ｓ４０３でＹｅｓ）、この読み取った情報コードＣの種別に応じて電波を利用した処理内容を変更することができる。具体的には、例えば、読み取った情報コードＣの種別がＡ種別であれば（Ｓ４０５でＹｅｓ）、電子タグＴの無効化を行うためのＡ通信を行った後（Ｓ４０７）、Ａ種別の情報コードＣの読み取りが成功した旨や電子タグＴの無効化処理を行った旨及びその成否等が報知される（Ｓ４０９）。また、読み取った情報コードＣの種別がＢ種別であれば（Ｓ４０５でＮｏ、Ｓ４１１でＹｅｓ）、電子タグ（非接触通信媒体）等に対して所定の情報を書き込むためのＢ通信を行った後（Ｓ４１３）、Ｂ種別の情報コードＣの読み取りが成功した旨や電子タグ等に対して所定の情報を書き込むための処理を行った旨及びその成否等が報知される（Ｓ４１５）。また、読み取った情報コードＣの種別がＣ種別であれば（Ｓ４０５、Ｓ４１１でＮｏ、Ｓ４１７でＹｅｓ）、電子タグ（非接触通信媒体）等に対して読み書き等の他の処理を行うためのＣ通信を行った後（Ｓ４１９）、Ｃ種別の情報コードＣの読み取りが成功した旨や電子タグ等に対して他の処理を行った旨及びその成否等が報知される（Ｓ４２１）。また、読み取った情報コードＣの種別がＡ、Ｂ、Ｃ種別のいずれでもない場合には（Ｓ４０５、Ｓ４１１、Ｓ４１７でＮｏ）、再度上記ステップＳ４０１からの処理が繰り返される。
【００４８】
このように、情報コードＣの解読結果に応じてアンテナ部５０から放射される電波が制御回路４０により制御されるため、読み取った情報コードＣに応じて、電子タグＴの無効化だけでなく、電子タグへの書き込み等、電波を利用した処理内容を変更することができる。このような処理を行う制御回路４０は、解読結果に応じてアンテナ部５０から放射される電波を制御する「電波制御手段」の一例に相当し得る。
【００４９】
なお、光学的情報読取装置１は、本実施形態のように、受光センサ２８及びアンテナ部５０等が組み込まれるスキャナ２の筐体１１と、受光センサ２８による受光結果を利用した制御を行う制御回路４０が組み込まれる制御装置３の筐体とが別体として構成されることに限らず、スキャナ２の機能と制御装置３の機能とを兼備して電力供給用の電池を備えたハンディターミナルのように携帯型として構成されてもよい。
【００５０】
［第２実施形態］
次に、本発明の第２実施形態に係る光学的情報読取装置について、図面を参照して説明する。
本第２実施形態では、読取口に対するアンテナ部の配置が主に上記第１実施形態と異なる。このため、第１実施形態と実質的に同様の構成部分には同一符号を付して説明を省略する。
【００５１】
図８及び図９に示すように、本実施形態に係る光学的情報読取装置１のアンテナ部５０ａは、第１アンテナ面７１と第２アンテナ面７２とが所定の角度θ２で連なるように折り曲げて形成され、アンテナ部５０ａは、第２アンテナ面７２が端面１２と略平行であって第１アンテナ面７１が読取口１３近傍の筐体１１の内壁に沿うように配置されている。特に、第２アンテナ面７２は、受光センサ２８による受光を妨げないようにループアンテナ５１の内側が開口し、配線５２に接続される辺部を除くループアンテナ５１の部分が読取口１３の外縁に沿うように配置されている。また、第２アンテナ面７２は、配線５２に接続される辺部が一縁部１３ａから離れた奥側に配置されることで、ループアンテナ５１にて読取口１３の周囲を囲うように配置されている。端面１２は、平面視したときアンテナ部５０ａが露出しないように形成されている。なお、アンテナ部５０ａは、第１アンテナ面７１のループアンテナ５１の内側が開口するように形成されてもよい。
【００５２】
そして、上述したアンテナ部５０と同様に、第１アンテナ面７１と第２アンテナ面７２との角度θ２は、図８に示すように、アンテナ部５０ａによる電波放射方向Ｆが光学読取エリアＳ１に向かうように設定されている。特に、本実施形態では、読取口１３の周囲に第２アンテナ面７２のループアンテナ５１が位置していることから、上述したアンテナ部５０よりも電波放射方向Ｆを端面１２に対して直交する方向に傾ける必要がある。このため、アンテナ部５０ａは、第１アンテナ面７１に対する第２アンテナ面７２の面積比がアンテナ部５０における第１アンテナ面６１に対する第２アンテナ面６２の面積比よりも大きくなるように形成されている。
【００５３】
このようしても、光学読み取りに関して最適化された光学読取エリアＳ１に向けてアンテナ部５０ａによる電波放射方向Ｆを角度θ２に応じて調整できる。また、第１アンテナ面７１の面積や第２アンテナ面７２の面積によってもアンテナ部５０ａによる電波放射方向Ｆを変化させることができる。このような角度θ２等に応じた電波放射方向Ｆの調整がなされることで、読取口１３を情報コードＣに翳した場合に、電子タグの無効化が可能な電波出力エリアＳ２に電子タグＴが確実に入ることとなり、電波出力エリアＳ２と光学読取エリアＳ１とが両立するエリア（図８の符号Ｓ３にて示すクロスハッチング参照）を広くしている。
【００５４】
特に、第２アンテナ面７２のループアンテナ５１を読取口１３の周囲に設けるようにアンテナ部５０ａを配置する場合でもこの第２アンテナ面７２と第１アンテナ面７１との角度θ２等を調整することで、電波放射方向Ｆを制御でき、読取口１３の周囲のスペースを有効に活用することができる。
【００５５】
なお、本発明は上記各実施形態に限定されるものではなく、例えば、以下のように具体化してもよい。
（１）アンテナ部５０は、アンテナ面が第１アンテナ面６１と第２アンテナ面６２との２平面からなるように構成されることに限らず、例えば、第１アンテナ面６１と第２アンテナ面６２との間に曲面が設けられる構成等、３つ以上の面から構成されてもよい。このような場合でも、他の面よりも面積が大きく主要な面となる第１アンテナ面６１と第２アンテナ面６２との角度θ１が上述のように設定されることで、上記効果を奏する。アンテナ部５０ａにおいても同様であり、アンテナ面が３つ以上の面から構成されてもよく、このような場合でも、他の面よりも面積が大きく主要な面となる第１アンテナ面７１と第２アンテナ面７２との角度θ２が上述のように設定されることで、上記効果を奏する。なお、角度θ１及び角度θ２は、３０°以上１６０°以下程度に設定することができる。３０°より鋭角となる場合は、２つアンテナ面にて発生する電波が互いに打ち消しあう影響が強くなり、逆に１６０°より大きくなる場合は、アンテナ面が１つの面で構成される場合に対して大きく効果を得られないからである。
【００５６】
（２）読取口１３に対して、アンテナ部５０及びアンテナ部５０ａのいずれか一方が設けられることに限らず、双方が配置されてもよいし、更に他のアンテナ部が設けられてもよい。このように、アンテナ部が読取口１３に対して複数設けられることで、意図する方向に電波を放射し易くなり、電波出力エリアＳ２を好適に広げることができる。
【符号の説明】
【００５７】
１…光学的情報読取装置
２…スキャナ
３…制御装置
１３…読取口
２８…受光センサ（受光手段）
４０…制御回路（解読手段，電波制御手段）
４７…操作部（操作手段）
５０，５０ａ…アンテナ部
５１…ループアンテナ
６１，７１…第１アンテナ面（第１の面）
６２，７２…第２アンテナ面（第２の面）
Ｃ…情報コード
Ｆ…電波放射方向
Ｓ１…光学読取エリア
Ｓ２…電波出力エリア
Ｔ…電子タグ（非接触通信媒体）
θ１，θ２…角度
【図１】
2018147212.tif 000003
【図２】
2018147212.tif 000004
【図３】
2018147212.tif 000005
【図４】
2018147212.tif 000006
【図５】
2018147212.tif 000007
【図６】
2018147212.tif 000008
【図７】
2018147212.tif 000009
【図８】
2018147212.tif 000010
【図９】
2018147212.tif 000011